(57)【要約】  【課題】  大雨の際に雨水が急激に河川に流出するのを防ぐために地中に設置される雨水貯留浸透槽の、施工を簡単にし、施工時の品質管理が容易にする。  【解決手段】  本発明の雨水貯留浸透槽は、地中に設けられた槽本体２４と、この槽本体２４内に設置されて貯水空間を確保する中詰部材２６の積層体とからなる。槽本体２４の底部２４ａ及び周壁部２４ｂの全部又は主要部が、多数の透水性板状部材２８を敷き詰めて構成される。透水性板状部材２８として、プラスチックのペレット又は廃プラスチックの粒状粉砕品を、熱融着又は接着して板状に形成した多孔質板を使用する。【選択図】  図１
2006274700.tif 000002
【特許請求の範囲】
【請求項１】
地中に設けられた槽本体と、この槽本体内に設置されて貯水空間を確保する中詰部材の積層体とを備え、前記槽本体の底部及び周壁部の全部又は主要部が、多数の透水性板状部材を敷き詰めて構成されていることを特徴とする雨水貯留浸透槽。
【請求項２】
透水性板状部材が、樹脂製の多孔質板からなることを特徴とする請求項１記載の雨水貯留浸透槽。
【請求項３】
多孔質板が、プラスチックのペレット又は廃プラスチックの粒状粉砕品を、熱融着又は接着して板状に形成したものからなることを特徴とする請求項２記載の雨水貯留浸透槽。
【請求項４】
多孔質板が、ペレット又は粒状粉砕品の粒径が異なる２以上の層を有し、槽内の雨水に接する側の層よりも槽外の土壌に接する側の層の方が、粒径が小さくなっていることを特徴とする請求項３記載の雨水貯留浸透槽。
【請求項５】
多孔質板が、かさ密度の異なる２以上の層を有し、槽内の雨水に接する側の層よりも槽外の土壌に接する側の層の方が、かさ密度が高くなっていることを特徴とする請求項３記載の雨水貯留浸透槽。
【請求項６】
透水性板状部材が、多孔質板と、孔のあいた非透水性補強板とを積層したものからなることを特徴とする請求項１記載の雨水貯留浸透槽。
【発明の詳細な説明】
【技術分野】
【０００１】
本発明は、大雨の際に雨水が急激に河川に流出するのを防ぐために地中に設置される雨水貯留浸透槽に関するものである。
【背景技術】
【０００２】
雨水貯留浸透槽は、雨水を一時貯留し、貯留した雨水を少しずつ地中に浸透させるものである。従来の雨水貯留浸透施設はコンクリート製が主流であったが、近年は短期間で施工が可能な樹脂製の雨水貯留浸透槽が増えてきている。樹脂製の雨水貯留浸透槽は、地面を掘り下げて形成した凹所に、透水性シートで槽本体を形成すると共に、この槽本体内に樹脂製のパイプやブロックなどの中詰部材を積層して貯水空間を確保したものである（例えば特許文献１の段落００２９〜００３０、図９参照）。
【０００３】
【特許文献１】特開２００２−８８８２８号公報
【発明の開示】
【発明が解決しようとする課題】
【０００４】
透水性シートで槽本体を形成するためには、シートの合わせ目を加熱溶着して、合わせ目からの漏水や土砂流入を防止する必要がある。しかしシートの溶着作業には、溶着機などの特殊な工具や熟練した技術が必要であり、透水性シートで大型の槽本体を形成することは容易ではない。またシートの溶着作業は施工現場で行うため、施工時の品質管理が難しく、さらには雨天時には作業ができない等の問題もある。
【０００５】
本発明の目的は、以上のような問題点に鑑み、より施工が簡単で、施工時の品質管理が容易な雨水貯留浸透槽を提供することにある。
【課題を解決するための手段】
【０００６】
本発明に係る雨水貯留浸透槽は、地中に設けられた槽本体と、この槽本体内に設置されて貯水空間を確保する中詰部材の積層体とを備え、前記槽本体の底部及び周壁部の全部又は主要部（透水機能が要求される部分）が、多数の透水性板状部材を敷き詰めて構成されていることを特徴とするものである。
【０００７】
本発明に用いる透水性板状部材は、樹脂製の多孔質板からなることが好ましい。
【０００８】
また透水性板状部材として用いる多孔質板は、プラスチックのペレット又は廃プラスチックの粒状粉砕品を、熱融着又は接着して板状に形成したものからなることが好ましい。
【０００９】
また透水性板状部材として用いる多孔質板は、ペレット又は粒状粉砕品の粒径が異なる２以上の層を有し、槽内の雨水に接する側の層よりも槽外の土壌に接する側の層の方が、粒径が小さくなっているものであることが好ましい。
【００１０】
また透水性板状部材として用いる多孔質板は、かさ密度の異なる２以上の層を有し、槽内の雨水に接する側の層よりも槽外の土壌に接する側の層の方が、かさ密度が高くなっているものであってもよい。
【００１１】
また本発明に用いる透水性板状部材は、多孔質板と、孔のあいた非透水性補強板とを積層したものからなることが好ましい。
【発明の効果】
【００１２】
本発明によれば、槽本体の底部及び周壁部の全部又は主要部を、透水性板状部材を敷き詰めて構成するため、透水性シートを用いることなく浸透能力の高い雨水貯留浸透槽を構成することができる。それ故、特殊な工具や熟練した技術を必要とする透水性シートの溶着作業が不要となり、雨水貯留浸透槽の施工を簡単に行うことができる。また板状部材を敷き詰めて槽本体を構成するので、施工現場における品質管理も容易であると共に、天候によって施工が制約されることが少なく、工期の短縮を図ることができる。
【発明を実施するための最良の形態】
【００１３】
図１は本発明に係る雨水貯留浸透槽の一実施形態を示す。図において、１０は地下の土壌１２の中に設置された雨水貯留浸透槽、１４は雨水流入管、１６は砂沈槽、１８は流出管、２０はオーバーフロー槽、２２はオーバーフロー管である。
【００１４】
雨水貯留浸透槽１０は、底部２４ａ、周壁部２４ｂ及び天井部２４ｃを有する槽本体２４と、この槽本体２４内に積層された多数の樹脂製中詰部材２６とから構成される。中詰部材２６は槽本体２４の底部２４ａ上に積層され、槽本体２４の周壁部２４ｂ及び天井部２４ｃを内側から支えて、槽本体２４内に貯水空間を確保するものである。中詰部材２６は積層した状態で、槽本体２４内の水が水平方向及び垂直方向に自由に流通できるように形成されている。
【００１５】
この雨水貯留浸透槽１０の特徴は、槽本体２４の底部２４ａ及び周壁部２４ｂの全部又は主要部が、図２に示すように多数の透水性板状部材２８を敷き詰めて構成されていることである。雨水貯留浸透槽１０に溜まった雨水は、透水性板状部材２８を透過して徐々に土１２の中に浸透していく。なお槽本体の天井部２４ｃは、透水性板状部材２８で構成してもよいが、透水性を要求されないので、非透水性の板状部材例えば樹脂製の無孔板を敷き詰めて構成してもよい。
【００１６】
透水性板状部材２８としては、無数の小孔が厚さ方向に連通する樹脂製の多孔質板を使用することが好ましい。樹脂製の多孔質板は軽量であるので、施工が容易である。樹脂製の多孔質板の材質は、耐食性に優れたポリプロピレンやポリエチレンにすると、腐食の心配がなく、長期使用が可能である。
【００１７】
また樹脂製の多孔質板としては、プラスチックのペレット又は廃プラスチックの粒状粉砕品を、熱融着又は接着して板状に形成したものを使用することが好ましい。特に廃プラスチックの再生ペレット又は粒状粉砕品を使用した多孔質板は、プラスチック廃材の有効利用となり、環境負荷の低減に寄与するものとなる。プラスチック廃材の中でも特に電線ケーブル等に使用された架橋ポリエチレンの廃材は再溶融成形ができないため、リサイクルが困難とされていたが、架橋ポリエチレン廃材を粉砕機で粉砕した粒状粉砕品は、１１０〜１３０℃に加熱すると熱融着することが可能である。したがって架橋ポリエチレン廃材の粒状粉砕品を熱融着して板状にした多孔質板を使用すれば、環境負荷の低減にさらに寄与することができる。
【００１８】
図３は、本発明に用いる透水性板状部材２８の他の実施形態を示す。この透水性板状部材２８は多孔質板であるが、ペレット又は粒状粉砕品の粒径が異なる２以上の層３０ａ、３０ｂを有し、槽内の雨水に接する側の層３０ａよりも槽外の土壌に接する側の層３０ｂの方が、粒径が小さくなっているものである。このような透水性板状部材２８を使用すると、槽内の雨水に接する面は空隙が大きいので、雨水を効果的に透過させることができ、槽外の土壌に接する面は空隙が小さいので、槽外から槽内への土砂の流入を効果的に抑制することができる。粒径が異なる２以上の層３０ａ、３０ｂは、１枚の板で構成してもよいし、粒径の異なる板を重ね合わせて構成してもよい。
【００１９】
また図４は、本発明に用いる透水性板状部材２８のさらに他の実施形態を示す。この透水性板状部材２８も多孔質板であるが、かさ密度の異なる２以上の層３２ａ、３２ｂを有し、槽内の雨水に接する側の層３２ａよりも槽外の土壌に接する側の層３２ｂの方が、かさ密度が高くなっているものである。このような多孔質板でも、図３の多孔質板と同様な効果を得ることができる。かさ密度の異なる２以上の層３２ａ、３２ｂは、１枚の板で構成してもよいし、かさ密度の異なる板を重ね合わせて構成してもよい。
【００２０】
また図５は、本発明に用いる透水性板状部材２８のさらに他の実施形態を示す。この透水性板状部材２８は、樹脂製の多孔質板３４と、孔３８のあいた樹脂製の非透水性補強板３６を積層して構成したものである。多孔質板３４は機械的強度が低いので、これを機械的強度の高い非透水性補強板３６で補強することにより、透水性板状部材２８の厚さや重量を最小限に抑え、施工性の向上やコスト低減を図ることができる。非透水性補強板３６には孔３８を形成することにより、透水性板状部材２８としての透水性が損なわれないようにする。
【００２１】
また図６（Ａ）（Ｂ）は、本発明に用いる透水性板状部材２８のさらに他の実施形態を示す。この透水性板状部材２８は、同図（Ｃ）（Ｄ）に示す樹脂製の多孔質板３４上に、同図（Ｅ）（Ｆ）に示す非透水性補強板３６を積層したものである。多孔質板３４には放射状にスロット４０が形成されている。非透水性補強板３６の下面には放射状に導水リブ４２が形成され、中央部には孔３８が形成されている。多孔質板３４と非透水性補強板３６を、スロット４０に導水リブ４２を嵌め込むようにして積層すると、孔３８を通り抜けた水が導水リブ４２に沿って放射状に広がり、多孔質板３４に拡散するようになる。このため孔３８の数が少なくても効率よく水を透過させることができると共に、導水リブ４２が全体を補強するため透水性板状部材２８の機械的強度が高まり、透水性板状部材２８を軽量化できる。したがって透水性板状部材２８の施工、運搬が容易になる。
【００２２】
また図７（Ａ）（Ｂ）は、本発明に用いる透水性板状部材２８のさらに他の実施形態を示す。この透水性板状部材２８は、同図（Ｃ）（Ｄ）に示す樹脂製の多孔質板３４上に、同図（Ｅ）（Ｆ）に示す非透水性補強板３６を積層したものである。この透水性板状部材２８が図６に示したものと異なる点は、非透水性補強板３６の下面の導水リブ４２が、２条ずつ間欠的に形成されていることである。このようにすると、２条の導水リブ４２の間の空間が導水路となるため、多孔質板３４への水の拡散が速くなり、透水性が向上するという利点がある。
【００２３】
また図８は、本発明に用いる透水性板状部材２８のさらに他の実施形態を示す。図６及び図７では多孔質板３４に、導水リブが入るスロット４０（底なし）を形成したが、この実施形態は、多孔質板３４に、非透水性補強板３６の下面の導水リブ４２が入る溝４４（底あり）を形成したものである。この方が、導水リブ４２を伝う水が多孔質板３４内にしみ込みやすくなり、土壌への浸透面積を大きくすることができる。
【００２４】
なお、以上の各実施形態において、透水性板状部材２８は、図９に示すように、周辺部に段部４６を形成して、隣り合う透水性板状部材２８が周辺部で互いに重なり合うようすることが好ましい。このようにすると、透水性板状部材２８の位置が多少ずれても、透水性板状部材２８間に隙間ができないので、隙間から水が漏れ出すのを防止できる。
【図面の簡単な説明】
【００２５】
【図１】本発明に係る雨水貯留浸透槽の一実施形態を示す断面図。
【図２】図１の雨水貯留浸透槽に用いた透水性板状部材を示す斜視図。
【図３】本発明に用いる透水性板状部材の他の実施形態を示す側面図。
【図４】同じくさらに他の実施形態を示す側面図。
【図５】同じくさらに他の実施形態を示す斜視図。
【図６】（Ａ）（Ｂ）は本発明に用いる透水性板状部材のさらに他の実施形態を示す底面図及び側面図、（Ｃ）（Ｄ）は（Ａ）（Ｂ）の透水性板状部材を構成する多孔質板の底面図及び側面図、（Ｅ）（Ｅ）は同じく非透水性補強板の底面図及び側面図。
【図７】（Ａ）（Ｂ）は本発明に用いる透水性板状部材のさらに他の実施形態を示す底面図及び側面図、（Ｃ）（Ｄ）は（Ａ）（Ｂ）の透水性板状部材を構成する多孔質板の底面図及び側面図、（Ｅ）（Ｅ）は同じく非透水性補強板の底面図及び側面図。
【図８】本発明に用いる透水性板状部材のさらに他の実施形態を示す断面図。
【図９】本発明の雨水貯留浸透槽における透水性板状部材の敷き詰め状態の一例を示す断面図。
【符号の説明】
【００２６】
１０：雨水貯留浸透槽
１２：土壌
２４：槽本体
２４ａ：底部
２４ｂ：周壁部
２４ｃ：天井部
２６：中詰部材
２８：透水性板状部材
３０ａ、３０ｂ：粒径が異なる２つの層
３２ａ、３２ｂ：かさ密度の異なる２つの層
３４：多孔質板
３６：非透水性補強板
３８：孔
４０：スロット
４２：導水リブ
４４：溝
【図１】
2006274700.tif 000003
【図２】
2006274700.tif 000004
【図３】
2006274700.tif 000005
【図４】
2006274700.tif 000006
【図５】
2006274700.tif 000007
【図６】
2006274700.tif 000008
【図７】
2006274700.tif 000009
【図８】
2006274700.tif 000010
【図９】
2006274700.tif 000011